(57)【要約】      （修正有）【課題】防水効果を有し、迅速に組立または分解することが可能なＬＥＤ照明器具構造を提供する。【解決手段】本体１１は、第１の面および第２の面１１２を有する。第１の面は、複数の凸部を有する。第２の面１１２上で凸部に対応する部分に入光部１１２１が設けられている。入光部１１２１外周に少なくとも一つの溝１１２２が設けられている。防水体１２は、溝１１２２内に配置され防水効果を有する。複数の本体１１が組み合わさることにより迅速に結合することができる。【選択図】図１
0003171770.tif 000002
【実用新案登録請求の範囲】
【請求項１】
第１の面および第２の面を有し、前記第１の面は複数の凸部を有し、前記第２の面上で前記凸部に対応する部分に入光部が設けられ、前記入光部外周に少なくとも一つの溝が設けられている本体と、
前記溝内に配置されている防水体と、
を含むことを特徴とするLED照明器具構造。
【請求項２】
前記本体は、第３の面および第４の面をさらに有し、前記第３の面および前記第４の面は対応するように設けられ、それぞれ第１の連通溝および第２の連通溝を有し、前記第１の連通溝および前記第２の連通溝は前記溝に連通していることを特徴とする請求項１に記載のLED照明器具構造。
【請求項３】
前記防水体は、Ｃ字状を呈していることを特徴とする請求項１に記載のLED照明器具構造。
【請求項４】
前記防水体は、第１の部分、第２の部分および連結部を有し、前記第１の部分および前記第２の部分はＣ字状を呈し、反対向きに対応するように配置され、前記連結部は前記第１の部分と前記第２の部分との間に配置され、前記第１の部分および前記第２の部分を連結していることを特徴とする請求項１に記載のLED照明器具構造。
【請求項５】
前記防水体は、シリコンまたはゴムからなることを特徴とする請求項１に記載のLED照明器具構造。
【請求項６】
前記本体は、前記第１の面および前記第２の面を貫通した複数の位置決め穴をさらに有することを特徴とする請求項１に記載のLED照明器具構造。
【請求項７】
前記本体は、前記第２の面から前記第２の面の反対側に向かって延伸している位置決め突起をさらに有することを特徴とする請求項１に記載のLED照明器具構造。
【請求項８】
前記連接部は、凹溝をさらに有する。
【請求項９】
基座と、
複数のLEDを有し、前記基座の一方の面に貼設され、前記本体が前記基座に対して反対の面に貼設され、前記入光部が前記LEDに対応するように設けられている発光モジュールと、を有するLED照明器具モジュールをさらに含むことを特徴とする請求項１に記載のLED照明器具構造。
【考案の詳細な説明】
【技術分野】
【０００１】
本考案は、LED照明器具構造に関し、特に、防水効果を有し、迅速に組立または分解することが可能なLED照明器具構造に関する。
【背景技術】
【０００２】
エコロジーおよび省エネCO2削減のため、街灯の発光デバイスがハロゲンランプから徐々にLEDに代わってきている。
【０００３】
LEDは、1950年代に開発され、今では広範に用いられている。LEDは、電気エネルギーを光エネルギーに直接転化させる原理を利用している。まず、液相エピタキシー(liquid Phase Epitaxy：LPE)または気相エピタキシー（Vapor Phase Epitaxy：VPE)の工程により窒素(N)、リン(P)、ヒ素(As)などのV族元素およびアルミニウム(Al)、ガリウム(Ga)、インジウム(In)などのIII族元素から、GaP（リン化ガリウム）GaAs（ヒ化ガリウム）などのIII-V族化合物半導体を作り、基板とする。そして基板の正負極に印加し、通電すると電子と正孔とが結合し、電子が落ち込み、残りのエネルギーが熱や光として放出される。
【０００４】
従来のLED照明器具構造は、パッケージされた複数のLEDランプを基板上に設けたものが多く、レンズまたはカバーを組み合わせることによりランプが放射した光源を集光させたり、反射させたりしてユーザーのニーズに応えている。しかし、単一サイズのレンズまたはカバーは、あらゆるサイズの要求を満たすことができず、金型を多数制作する必要があり、その制作に多大なコストが必要であった。以上のように、従来のLED照明器具構造は、２つの短所があった。１、コストが高かった。２、金型の共有性が悪かった。
【先行技術文献】
【特許文献】
【０００５】
【特許文献１】特開２０１０−５６０７２号公報
【考案の概要】
【考案が解決しようとする課題】
【０００６】
本考案の第１の目的は、コストを削減するLED照明器具構造を提供することにある。
【０００７】
本考案の第２の目的は、防水効果を有するLED照明器具構造を提供することにある。
【０００８】
本考案の第３の目的は、迅速に組立または分解を行うLED照明器具構造を提供することにある。
【０００９】
上述の目的を達成するため、本考案は、LED照明器具構造を提供する。本考案のLED照明器具構造は、本体および防水体含む。本体は、第１の面および第２の面を有する。第１の面は、複数の凸部を有する。第２の面上で凸部に対応する部分に入光部が設けられている。入光部外周に少なくとも一つの溝が設けられている。防水体は、溝内に配置され防水効果を有する。複数の本体が組み合わせることにより迅速に結合することができる。
【考案の効果】
【００１０】
本考案のLED照明器具構造は、防水体が溝内に配置され、防水効果を有することができる。また、複数の本体が組み合わせられているため、使用において、柔軟性に富み、迅速に組立および分解ができる。そのため、大幅にコストを削減でき、使用寿命を向上させることができる。
【図面の簡単な説明】
【００１１】
【図１】本考案の第1の実施形態によるLED照明器具構造を示す分解斜視図である。
【図２】本考案の第1の実施形態によるLED照明器具構造を示す斜視図である。
【図３】本考案の第２の実施形態によるLED照明器具構造を示す斜視図である。
【図４】本考案の第３の実施形態によるLED照明器具構造を示す斜視図である。
【図５】本考案の第４の実施形態によるLED照明器具構造を示す斜視図である。
【図６】本考案のLED照明器具構造の使用動作を示す分解斜視図である。
【図７】本考案のLED照明器具構造の使用動作を示す斜視図である。
【図８】本考案のLED照明器具構造の使用動作を示す斜視図である。
【考案を実施するための形態】
【００１２】
以下、本考案の実施形態を図面に基づいて説明する。
【００１３】
図１および図２を参照する。図１は、本考案の第1の実施形態によるLED照明器具構造を示す分解斜視図である。図２は、本考案の第1の実施形態によるLED照明器具構造を示す斜視図である。図１および図２に示すように、本考案のLED照明器具構造は、本体１１および防水体１２含む。
【００１４】
本体１１は、第１の面１１１および第２の面１１２を有する。第１の面１１１は、複数の凸部１１１１を有する。第２の面１１２上で凸部１１１１に対応する部分に入光部１１２１が設けられている。入光部１１２１外周に少なくとも一つの溝１１２２が設けられている。
【００１５】
本体１１は、第１の面１１１および第２の面１１２を貫通した複数の位置決め穴１１３をさらに有する。
【００１６】
防水体１２は、溝１１２２内に配置されている。防水体１２は、Ｃ字状を呈し、シリコンまたはゴムからなり、防水効果を有し、水分または異物が溝１１２２に混入するのを防ぎ、全体の使用寿命を延長させることができる。
【００１７】
図３を参照する。図３は、本考案の第２の実施形態によるLED照明器具構造を示す斜視図である。図３に示すように、本実施形態は、第１の実施形態とほぼ同じであるため、異なる部分のみを説明する。本体１１は、第３の面１１４および第４の面１１５をさらに有する。第３の面１１４および第４の面１１５は、対応するように設けられ、それぞれ第１の連通溝１１４１および第２の連通溝１１５１を有する。第１の連通溝１１４１および第２の連通溝１１５１は、溝１１２２に連通している。
【００１８】
図４を参照する。図４は、本考案の第３の実施形態によるLED照明器具構造を示す斜視図である。図４に示すように、本実施形態は、第１の実施形態とほぼ同じであるため、異なる部分のみを説明する。本体１１は、位置決め突起１１６をさらに有する。位置決め突起１１６は、第２の面１１２から第２の面１１２の反対側に向かって延伸している。
【００１９】
図５を参照する。図５は、本考案の第４の実施形態によるLED照明器具構造を示す斜視図である。図５に示すように、本実施形態は、第１の実施形態とほぼ同じであるため、異なる部分のみを説明する。防水体１２は、第１の部分１２１、第２の部分１２２および連接部１２３を有する。第１の部分１２１および第２の部分１２２は、Ｃ字状を呈し、反対向きに対応するように配置されている。連結部１２３は、第１の部分１２１と第２の部分１２２との間に配置され、第１の部分１２１および第２の部分１２２を連結し、凹溝１２３１をさらに有する。
【００２０】
図１、図４、図６〜８を参照する。図６は、本考案のLED照明器具構造の使用動作を示す分解斜視図である。図７は、本考案のLED照明器具構造の使用動作を示す斜視図である。図８は、本考案のLED照明器具構造の使用動作を示す斜視図である。図１、図４、図６〜８に示すように、本実施形態の本体１１は、LED照明器具モジュール２に組み合わされている。LED照明器具モジュール２は、基座２１および発光モジュール２２を有する。発光モジュール２２は、複数のLED２２１を有し、基座２１の一方の面に貼設されている。本体１１は、発光モジュール２２の上の基座２１に対して反対の面に貼設され、入光部１１２１がLED２２１に対応するように設けられている。
【００２１】
本体１１がLED照明器具モジュール２に組み合わされる方法は、以下のようになっている。基座２１上で本体１１の位置決め穴１１３に相対する位置に２１１が設けられ、少なくとも一つの固定デバイス３により位置決め穴１１３および２１１が貫通され、本体１１が基座２１上に固定される。また、第３の実施形態においては、基座２１上で本体１１の位置決め突起１１６に相対する位置に２１１が設けられ、位置決め突起１１６が２１１に対応するように嵌合させられ、本体１１を基座２１上に固定する（図８参照）。
【００２２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２３】
２  LED照明器具モジュール
３  固定デバイス
１１  本体
１２  防水体
２１  基座
２２  発光モジュール
１１１  第１の面
１１２  第２の面
１１３  位置決め穴
１１４  第３の面
１１５  第４の面
１１６  位置決め突起
１２１  第１の部分
１２２  第２の部分
１２３  連接部
２２１  LED 
１１１１  凸部
１１２１  入光部
１１２２  溝
１１４１  第１の連通溝
１１５１  第２の連通溝
１２３１  凹溝
【図１】
0003171770.tif 000003
【図２】
0003171770.tif 000004
【図３】
0003171770.tif 000005
【図４】
0003171770.tif 000006
【図５】
0003171770.tif 000007
【図６】
0003171770.tif 000008
【図７】
0003171770.tif 000009
【図８】
0003171770.tif 000010
【手続補正書】
【提出日】平成23年9月20日(2011.9.20)
【手続補正１】
【補正対象書類名】実用新案登録請求の範囲
【補正対象項目名】全文
【補正方法】変更
【補正の内容】
【実用新案登録請求の範囲】
【請求項１】
第１の面および第２の面を有し、前記第１の面は複数の凸部を有し、前記第２の面上で前記凸部に対応する部分に入光部が設けられ、前記入光部外周に少なくとも一つの溝が設けられている本体と、
前記溝内に配置されている防水体と、
を含むことを特徴とするLED照明器具構造。
【請求項２】
前記本体は、第３の面および第４の面をさらに有し、前記第３の面および前記第４の面は対応するように設けられ、それぞれ第１の連通溝および第２の連通溝を有し、前記第１の連通溝および前記第２の連通溝は前記溝に連通していることを特徴とする請求項１に記載のLED照明器具構造。
【請求項３】
前記防水体は、Ｃ字状を呈していることを特徴とする請求項１に記載のLED照明器具構造。
【請求項４】
前記防水体は、第１の部分、第２の部分および連結部を有し、前記第１の部分および前記第２の部分はＣ字状を呈し、反対向きに対応するように配置され、前記連結部は前記第１の部分と前記第２の部分との間に配置され、前記第１の部分および前記第２の部分を連結していることを特徴とする請求項１に記載のLED照明器具構造。
【請求項５】
前記防水体は、シリコンまたはゴムからなることを特徴とする請求項１に記載のLED照明器具構造。
【請求項６】
前記本体は、前記第１の面および前記第２の面を貫通した複数の位置決め穴をさらに有することを特徴とする請求項１に記載のLED照明器具構造。
【請求項７】
前記本体は、前記第２の面から前記第２の面の反対側に向かって延伸している位置決め突起をさらに有することを特徴とする請求項１に記載のLED照明器具構造。
【請求項８】
前記連接部は、凹溝をさらに有することを特徴とする請求項４に記載のLED照明器具構造。
【請求項９】
基座と、
複数のLEDを有し、前記基座の一方の面に貼設され、前記本体が前記基座に対して反対の面に貼設され、前記入光部が前記LEDに対応するように設けられている発光モジュールと、を有するLED照明器具モジュールをさらに含むことを特徴とする請求項１に記載のLED照明器具構造。